【手続補正書】
【提出日】令和3年10月25日(2021.10.25)
【手続補正１】
【補正対象書類名】特許請求の範囲
【補正対象項目名】全文
【補正方法】変更
【補正の内容】
【特許請求の範囲】
【請求項１】
第１部材と第２部材とを電気的に接続可能なコンタクトであって、
基部、弾性接触部及び空隙形成部を備え、
前記基部は、前記第１部材の部品実装面にはんだ付け可能に構成され、
前記弾性接触部は、弾性変形可能かつ前記基部に対して相対的に揺動可能に構成され、前記第２部材の被接触面に接触した際には弾性変形して前記被接触面に加圧接触するように構成され、
前記空隙形成部は、前記基部及び前記弾性接触部と一体に形成されて、第１端部において前記基部に繋がり、前記第１端部とは反対側にある第２端部において前記弾性接触部に繋がるように構成され、前記第１端部と前記第２端部との間には凹部が設けられ、当該凹部と前記部品実装面とが対向する向きにされた状態で前記基部が前記部品実装面にはんだ付けされる際に、前記凹部と前記部品実装面との間に空隙ができるように構成されており、
前記基部は、底板部、左壁部、右壁部、後壁部及び天板部を有し、
前記左壁部には、左開口部が形成され、前記右壁部には、右開口部が形成されており、
前記弾性接触部は、第１傾斜部、前端折り返し部、第２傾斜部、前壁部、第３傾斜部、後端湾曲部及び突起部を有し、
前記前壁部には、前記左開口部を通じて前記左壁部を貫通する左規制片が設けられると共に、前記右開口部を通じて前記右壁部を貫通する右規制片が設けられている
コンタクト。
【請求項２】
請求項１に記載のコンタクトであって、
前記弾性接触部は、突出方向先端付近に設けられた突起部で、前記被接触面に加圧接触可能に構成され、
前記基部が前記部品実装面にはんだ付けされ、かつ、前記弾性接触部が前記部品実装面に対して垂直に配置された前記被接触面に加圧接触して、前記弾性接触部から前記被接触面に対して作用する力の大きさＦｘがあらかじめ定められた下限値Ｆｍｉｎ以上かつ上限値Ｆｍａｘ以下となる状態にある場合に（ただし、Ｆｘ、Ｆｍｉｎ及びＦｍａｘは０．１≦Ｆｍｉｎ≦Ｆｘ≦Ｆｍａｘ≦３０を満たす値、単位はＮ。）、前記弾性接触部を前記部品実装面に垂直な方向から見て、前記突起部の突出方向に垂直な前記弾性接触部の幅方向をｘ軸方向、前記突起部の突出方向をｙ軸方向とすると、前記突起部の頂点の位置（ｘ１，ｙ１）、前記弾性接触部の突出方向先端部のエッジの位置（ｘ２，ｙ２）が、距離Ａ＝ｘ２−ｘ１、突出高さＢ＝ｙ２−ｙ１、Ｂ／Ａ＞ｔａｎ５°を満たす位置に配置されるように構成されている
コンタクト。
【請求項３】
請求項２に記載のコンタクトであって、
前記弾性接触部は、前記弾性接触部の突出方向先端部を含む一部において、当該一部以外の部分よりも前記弾性接触部の幅が狭くなるように構成されている
コンタクト。
【請求項４】
請求項１から請求項３までのいずれか一項に記載のコンタクトであって、
前記基部は、第１接合面及び第２接合面を有し、前記第１接合面を利用して前記部品実装面にはんだ付けされた場合に、前記凹部と前記部品実装面との間に空隙ができるように構成され、
前記第１接合面と前記第２接合面は、平行に配置されて相反する方向へ向けられていて、前記第１接合面及び前記第２接合面のうち、いずれか一方の接合面が前記部品実装面にはんだ付けされる場合、他方の接合面を、自動実装機の吸引ノズルで吸着するための吸着面として利用可能に構成されている
コンタクト。
【請求項５】
請求項４に記載のコンタクトであって、
前記基部は、前記第１接合面及び前記第２接合面が向けられた方向に対して垂直な方向に向けられた第３接合面を有し、
前記弾性接触部には、前記第３接合面に対して平行に配置されて相反する方向へ向けられた平坦面が設けられ、前記第３接合面が前記部品実装面にはんだ付けされる場合、前記平坦面を、自動実装機の吸引ノズルで吸着するための吸着面として利用可能に構成されている
コンタクト。
【請求項６】
第１部材と第２部材とを電気的に接続可能なコンタクトであって、
基部、弾性接触部及び空隙形成部を備え、
前記基部は、前記第１部材の部品実装面にはんだ付け可能に構成され、
前記弾性接触部は、弾性変形可能かつ前記基部に対して相対的に揺動可能に構成され、前記第２部材の被接触面に接触した際には弾性変形して前記被接触面に加圧接触するように構成され、
前記空隙形成部は、前記基部及び前記弾性接触部と一体に形成されて、第１端部において前記基部に繋がり、前記第１端部とは反対側にある第２端部において前記弾性接触部に繋がるように構成され、前記第１端部と前記第２端部との間には凹部が設けられ、当該凹部と前記部品実装面とが対向する向きにされた状態で前記基部が前記部品実装面にはんだ付けされる際に、前記凹部と前記部品実装面との間に空隙ができるように構成されており、
前記基部は、底板部、左壁部、右壁部、後壁部及び天板部を有し、
前記後壁部には、前記後壁部の左端から左方向へ突出する左突出片と、前記後壁部の右端から右方向へ突出する右突出片とが設けられており、
前記左壁部には、左開口部が形成され、前記右壁部には、右開口部が設けられており、
前記弾性接触部は、第１傾斜部、前端折り返し部、第２傾斜部、前壁部、第３傾斜部、後端湾曲部及び突起部を有し、
前記前壁部には、前記左開口部を通じて前記左壁部を貫通する左規制片が設けられると共に、前記右開口部を通じて前記右壁部を貫通する右規制片が設けられており、
前記左規制片は、前記左突出片と平行であり、前記右規制片は、前記右突出片と平行である
コンタクト。
【請求項７】
第１部材と第２部材とを電気的に接続可能なコンタクトであって、
基部、弾性接触部及び空隙形成部を備え、
前記基部は、前記第１部材の部品実装面にはんだ付け可能に構成され、
前記弾性接触部は、弾性変形可能かつ前記基部に対して相対的に揺動可能に構成され、前記第２部材の被接触面に接触した際には弾性変形して前記被接触面に加圧接触するように構成され、
前記空隙形成部は、前記基部及び前記弾性接触部と一体に形成されて、第１端部において前記基部に繋がり、前記第１端部とは反対側にある第２端部において前記弾性接触部に繋がるように構成され、前記第１端部と前記第２端部との間には凹部が設けられ、当該凹部と前記部品実装面とが対向する向きにされた状態で前記基部が前記部品実装面にはんだ付けされる際に、前記凹部と前記部品実装面との間に空隙ができるように構成されており、
前記基部は、底板部、左壁部、右壁部、後壁部及び天板部を有し、
前記後壁部には、前記後壁部の左端から左方向へ突出する左突出片と、前記後壁部の右端から右方向に突出する右突出片とが設けられている
コンタクト。
【請求項８】
請求項７に記載のコンタクトであって、
前記左突出片はその前面で前記左壁部の後端に当接し、前記右突出片はその前面で前記右壁部の後端に当接している
コンタクト。
【請求項９】
第１部材と第２部材とを電気的に接続可能なコンタクトであって、
基部、弾性接触部及び空隙形成部を備え、
前記基部は、前記第１部材の部品実装面にはんだ付け可能に構成され、
前記弾性接触部は、弾性変形可能かつ前記基部に対して相対的に揺動可能に構成され、前記第２部材の被接触面に接触した際には弾性変形して前記被接触面に加圧接触するように構成され、
前記空隙形成部は、前記基部及び前記弾性接触部と一体に形成されて、第１端部において前記基部に繋がり、前記第１端部とは反対側にある第２端部において前記弾性接触部に繋がるように構成され、前記第１端部と前記第２端部との間には凹部が設けられ、当該凹部と前記部品実装面とが対向する向きにされた状態で前記基部が前記部品実装面にはんだ付けされる際に、前記凹部と前記部品実装面との間に空隙ができるように構成されており、
前記基部は、底板部、左壁部、右壁部、後壁部及び天板部を有し、
前記天板部には、前記天板部の左端から左方に延出し、左端で下方へと湾曲して、右方へと折り返す左返し片と、前記天板部の右端から右方に延出し、右端で下方へと湾曲して、左方へと折り返す右折り返し片とが設けられている
コンタクト。